(57)【要約】【課題】  カラオケ楽曲毎に区間分割データを設定する必要がなく、すべてのカラオケ楽曲に共通したレイアウトで歌唱採点結果を表示する。【解決手段】  カラオケ楽曲の採点リファレンスデータの採点タイミングに基づき歌唱開始ポイント及び歌唱終了ポイントを検出する歌唱開始ポイント検出手段２７及び歌唱終了ポイント検出手段２８と、検出した歌唱開始ポイント及び歌唱終了ポイントに基づき歌唱時間を算出する楽曲歌唱時間算出手段２９と、算出した歌唱時間を均等に分割して、所定数の集計区間を生成する均等分割手段３０と、歌唱者による歌唱とリファレンスデータを集計区間よりも十分小さい時間単位で比較して歌唱採点値を算出する採点手段２５と、均等分割された集計区間毎に歌唱採点値を集計する区間集計手段３１と、区間集計手段３１における採点結果を集計区間毎に表示する区間集計結果表示手段３２を備える。【選択図】図１
2016050974.tif 000002
【特許請求の範囲】
【請求項１】
カラオケ楽曲の歌唱区間を抽出するとともに当該歌唱区間を均等に分割して、当該分割した区間毎に歌唱採点値の集計及びその表示を行うカラオケ採点システムであって、
歌唱採点を行うカラオケ楽曲の採点リファレンスデータにおける最初の歌唱採点タイミングを歌唱開始ポイントとして検出する歌唱開始ポイント検出手段と、
前記採点リファレンスデータにおける最後の歌唱採点タイミングを歌唱終了ポイントとして検出する歌唱終了ポイント検出手段と、
前記検出した歌唱開始ポイント及び歌唱終了ポイントに基づき、当該カラオケ楽曲の歌唱時間を算出する楽曲歌唱時間算出手段と、
前記算出された歌唱時間を均等に分割して、所定数の集計区間を生成する均等分割手段と、
歌唱者による前記カラオケ楽曲の歌唱と前記採点リファレンスデータとを前記集計区間よりも十分小さい時間単位で比較して前記歌唱採点値を算出する採点手段と、
前記均等分割された集計区間毎に歌唱採点値を集計する区間集計手段と、
前記区間集計手段における集計結果を、前記集計区間毎に表示する区間集計結果表示制御手段を備えたことを特徴とするカラオケ採点システム。
【発明の詳細な説明】
【技術分野】
【０００１】
本発明はカラオケ採点システムに関するものであり、詳しくは、カラオケ楽曲の歌唱区間を抽出するとともに当該歌唱区間を均等に分割して、当該分割した区間毎に歌唱採点を集計し表示するカラオケ採点システムに関するものである。
【背景技術】
【０００２】
現在普及しているカラオケ演奏装置は歌唱採点機能を備えており、マイクロホンから入力された歌唱音声信号から、音高データ、音量データ、リズムデータ等の歌唱音声データを抽出し、現在演奏しているカラオケ楽曲の主旋律等からなる採点リファレンスデータと、抽出した歌唱音声データとを微小区間毎に比較することにより、歌唱採点を行っている。従来、歌唱音声データと採点リファレンスデータとを比較するための技術が種々提案されている（特許文献１、特許文献２参照）。
【０００３】
特許文献１に記載された技術は、カラオケ楽曲毎に、前奏部、通常歌唱部、サビ部、クライマックス部、後奏部等に分割した区間分割データを設定する。そして、微小区間（実施例では５０ｍｓ）毎に、歌唱音声信号から抽出した音高データ、音量データ、リズムデータ等の歌唱音声データと採点リファレンスデータとを比較して、採点結果を設定された区間分割データ毎に集計して表示したり、歌唱時のアドバイスを行ったりするようになっている。
【０００４】
特許文献２に記載された技術は、カラオケ楽曲について、イントロ部分の最初からエンディング部分の最後までの全演奏時間を所定数の区間に分割し、分割した区間毎に歌唱採点の集計を行って、集計結果を区間毎に並べて表示するようになっている。
【先行技術文献】
【特許文献】
【０００５】
【特許文献１】特開平１０−７８７４９号公報
【特許文献２】特開２００４−１０９２６５号公報
【発明の概要】
【発明が解決しようとする課題】
【０００６】
しかしながら、特許文献１に記載された技術では、各カラオケ楽曲に対して区間分割データを設定する必要がある。このため、カラオケ事業者は、新譜について、それぞれ前奏部、通常歌唱部、サビ部、クライマックス部、後奏部等の区間分割データを設定しなければならず、作業に手間を要するばかりでなく、配信楽曲の制作コストも増大するという問題があった。
【０００７】
また、現在の歌唱採点では、歌唱終了後に、歌唱したカラオケ楽曲の各区間の歌唱採点値の推移を表示することが一般的となっている。この際、音楽的な特徴を考慮した区間分割データに従って表示を行うと、カラオケ楽曲毎に区間の構成が異なるため、歌唱採点値を表示する画面のレイアウトを個別に処理しなければならず、歌唱採点値の表示処理が複雑なものとなっていた。
【０００８】
特許文献２に記載された技術は、カラオケ楽曲の全演奏時間を分割対象とするため、イントロ部分やエンディング部分のように、明らかに実際には歌唱を行わない区間も含んで区間分割を行う。このため、歌唱に関係のない区間の表示を多く含むことになり、歌唱終了時に、各区間における得点の推移や、ビブラート、しゃくり等の歌唱技法等、様々な評価結果を表示しようとすると、各評価結果の表示領域が狭くなってしまうという問題があった。
【０００９】
本発明は、上述した事情に鑑み提案されたもので、カラオケ楽曲毎に区間分割データを設定する必要がなく、すべてのカラオケ楽曲に共通したレイアウトで歌唱採点結果を表示することが可能なカラオケ採点システムを提供することを目的とする。
【課題を解決するための手段】
【００１０】
本発明のカラオケ採点システムは、上述した目的を達成するため、以下の特徴点を有している。すなわち、本発明のカラオケ採点システムは、カラオケ楽曲の歌唱区間を抽出するとともに当該歌唱区間を均等に分割して、当該分割した区間毎に歌唱採点値の集計及びその表示を行うカラオケ採点システムであって、歌唱開始ポイント検出手段と、歌唱終了ポイント検出手段と、楽曲歌唱時間算出手段と、均等分割手段と、採点手段と、区間集計手段と、区間集計結果表示制御手段とを備えたことを特徴とするものである。
【００１１】
歌唱開始ポイント検出手段は、歌唱採点を行うカラオケ楽曲の採点リファレンスデータにおける最初の歌唱採点タイミングを歌唱開始ポイントとして検出するための手段である。歌唱終了ポイント検出手段は、採点リファレンスデータにおける最後の歌唱採点タイミングを歌唱終了ポイントとして検出するための手段である。
【００１２】
楽曲歌唱時間算出手段は、検出した歌唱開始ポイント及び歌唱終了ポイントに基づき、当該カラオケ楽曲の歌唱時間を算出するための手段である。均等分割手段は、算出された歌唱時間を均等に分割して、所定数の集計区間を生成するための手段である。採点手段は、歌唱者によるカラオケ楽曲の歌唱と採点リファレンスデータとを集計区間よりも十分小さい時間単位で比較して前記歌唱採点値を算出するための手段である。区間集計結果表示制御手段は、区間集計手段における集計結果を、集計区間毎に表示するための手段である。
【発明の効果】
【００１３】
本発明のカラオケ採点システムでは、カラオケ楽曲の採点リファレンスデータから歌唱開始ポイント及び歌唱終了ポイントを自動的に検出し、当該カラオケ楽曲の歌唱時間を算出する。そして、算出された歌唱時間を均等に分割して、所定数の集計区間を生成し、均等分割された集計区間毎に採点手段による採点結果を集計するようになっている。
【００１４】
すなわち、自動的に集計区間を分割することができるばかりでなく、イントロ部分やエンディング部分を除いたカラオケ楽曲の歌唱時間を所定数の集計区間に均等分割するので、すべてのカラオケ楽曲について、集計区間の分割態様が同一のものとなる。したがって、カラオケ楽曲毎に区間分割データを設定する必要がなく、すべてのカラオケ楽曲に共通したレイアウトで歌唱採点結果を表示することが可能となる。さらに、イントロ部分やエンディング部分のように明らかに歌唱を行わない区間は除外するように処理するため、表示スペースを有効に活用することが可能となる。
【図面の簡単な説明】
【００１５】
【図１】本発明の実施形態に係るカラオケ採点システムの概略構成を示すブロック図。
【図２】集計区間の分割態様（実施例１）の説明図。
【図３】集計区間の分割態様（実施例２）の説明図。
【図４】集計結果表示の一例を示す模式図。
【発明を実施するための形態】
【００１６】
図面を参照して、本発明のカラオケ採点システムの実施形態について説明する。図１〜図４は本発明の実施形態に係るカラオケ採点システムを説明するもので、図１はカラオケ採点システムの概略構成を示すブロック図、図２及び図３は集計区間の分割態様の説明図、図４は集計結果表示の一例を示す模式図である。
【００１７】
＜カラオケ採点システムの概要＞
本発明の実施形態に係るカラオケ採点システム１００は、図１に示すように、カラオケ演奏装置１０を含むカラオケシステムに組み込まれて機能するシステムであって、歌唱開始ポイント検出手段２７と、歌唱終了ポイント検出手段２８と、楽曲歌唱時間算出手段２９と、均等分割手段３０と、区間集計手段３１と、区間集計結果表示制御手段３２と、採点手段３５を備えている。本実施形態において、各手段は、カラオケ演奏装置１０の機能として実現するが、各カラオケ楽曲について共通に機能する手段は、カラオケ演奏装置１０にネットワーク接続された管理サーバの機能として実現することもできる。
【００１８】
以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００１９】
＜カラオケ演奏装置＞
本発明の実施形態に係るカラオケ採点システム１００を適用するカラオケ演奏装置１０は、図１に示すように、カラオケ本体１１、カラオケリモコン装置１２、マイクロホン１３、スピーカ１４、表示装置１５、ミキシングアンプ１６を備えている。また、カラオケ演奏装置１０は、ルータ及びインターネット、専用電話回線、一般電話回線、無線通信回線等のデータ通信回線を介して、管理サーバとネットワーク接続されていてもよい。
【００２０】
＜カラオケリモコン装置＞
カラオケリモコン装置１２は、ユーザインタフェース機能を備えており、ルータ４０及びデータ通信回線５０を介して、カラオケ本体１１との間でデータの送受信を行うようになっている。このカラオケリモコン装置１２は、楽曲検索手段１２ａとして機能するプログラム、楽曲索引データベース１２ｂ、種々のデータを記憶するためのデータ記憶部１２ｃ、データの入出力を行うための入出力表示部１２ｄを備えている。このカラオケリモコン装置１２に付帯するスイッチ類や、入出力表示部１２ｄに表示される各種のアイコン等を操作することにより、選曲操作等が行われる。
【００２１】
＜楽曲検索手段／楽曲索引データベース＞
楽曲検索手段１２ａは、利用者の指示に基づき、楽曲索引データベース１２ｂを参照して楽曲を検索するためのプログラムからなる。楽曲索引データベース１２ｂは、カラオケ演奏装置１０で演奏に供されるカラオケ楽曲について、その属性情報を記述したデータベースであり、例えば、楽曲番号・曲名・アーティスト名・歌い出し部分の歌詞・流行時期・音楽ジャンル・デュエット曲か否かなど、種々の属性情報がこれに含まれている。楽曲検索手段１２ａは、利用者の指示に基づき、楽曲索引データベース１２ｂを参照して楽曲を検索する。
【００２２】
＜マイクロホン＞
マイクロホン１３は、歌唱音声の入力を行うための装置である。マイクロホン１３から入力された歌唱音声信号は、ミキシングアンプ１６により、音楽再生制御手段から送出される演奏音声信号とミキシングされると共に増幅され、スピーカ１４へ出力される。また、マイクロホン１３からの音声入力信号をＡ／Ｄコンバータ３６によりデジタル変換し、歌唱採点手段３５における歌唱採点等に使用される。
【００２３】
＜表示装置＞
表示装置１５は、カラオケ楽曲に関連した背景映像や歌詞テロップ等を表示するための装置で、例えば、液晶ディスプレイ等により構成される。また、後述する区間集計結果表示制御手段３２により、歌唱採点結果を複数の集計区間毎に表示する。
【００２４】
＜カラオケ本体＞
カラオケ本体１１は、中央制御手段２１、ＲＯＭ２２、ＲＡＭ２３、ＨＤＤ２４、送受信手段２５、予約楽曲管理手段２６、歌唱開始ポイント検出手段２７、歌唱終了ポイント検出手段２８、楽曲歌唱時間算出手段２９、均等分割手段３０、区間集計手段３１、区間集計結果表示制御手段３２、音楽再生制御手段３３、映像再生制御手段３４、採点手段３５、Ａ／Ｄコンバータ３６を備えている。
【００２５】
＜中央制御手段＞
中央制御手段２１は、カラオケ本体１１を総合的に制御するための手段であり、例えばＣＰＵ及びその周辺機器により構成されており、ＣＰＵ等がＲＯＭ２２等に記憶されたプログラムに従って動作することにより、制御機能を発揮することができるようになっている。
【００２６】
＜ＲＯＭ／ＲＡＭ＞
ＲＯＭ２２は、カラオケ本体１１を構成する各機器を制御するためのプログラムデータや数値データを記憶するための機器で、例えば半導体メモリ等で構成される。また、ＲＡＭ２３は、プログラムや各種データを一時的に記憶する一時記憶領域として機能するもので、例えば半導体メモリ等で構成される。本実施形態では、ＲＡＭ２３に、予約楽曲管理テーブル２３ａが記憶されている。
【００２７】
＜ＨＤＤ＞
ＨＤＤ２４は、大容量記憶装置として機能するもので、楽曲データベース２４ａ、映像データベース２４ｂが格納されている。なお、ＨＤＤ２４に替えて、あるいはＨＤＤ２４と共に、データを書き替え可能なＤＶＤ等の大容量記憶手段を用いてもよい。
【００２８】
＜楽曲データベース／映像データベース＞
楽曲データベース２４ａは、演奏制御データ（ＭＩＤＩ規格のデータ）及び歌詞描出データが同期されて構成される演奏データについて、楽曲ＩＤと対応付けてそれぞれ構成されたデータベースである。演奏制御データは、各楽曲の演奏を制御するためのデジタルデータであり、歌詞描出データは演奏に同期した歌詞文字の表示タイミングデータ及び色変わりデータを含んでいる。映像データベース２４ｂは、演奏されるカラオケ楽曲に対応した背景映像を、当該カラオケ楽曲の楽曲ＩＤに対応させた映像ファイルとして所定数格納したデータベースである。
【００２９】
＜送受信手段＞
送受信手段２５は、カラオケ本体１１とルータ４０との間におけるデータの送受信を行うための電子機器及びプログラムからなる。
【００３０】
＜予約楽曲管理手段／予約楽曲管理テーブル＞
予約楽曲管理手段２６は、任意の利用者がカラオケ楽曲の予約を行う際に、当該利用者の利用者ＩＤと予約楽曲の楽曲ＩＤとを紐付けして、予約楽曲管理テーブル２３ａにて管理するためのプログラムからなる。すなわち、予約楽曲管理手段２６は予約楽曲管理テーブル２３ａを作成し、この予約楽曲管理テーブル２３ａをＲＡＭ２３に格納して管理する。予約楽曲管理テーブル２３ａは、利用者により楽曲検索手段１２ａの機能を用いて選曲された楽曲ＩＤを演奏順に並べて作成したデータテーブルである。
【００３１】
なお、図示しないが、利用者ＩＤは、ＩＤカードや携帯情報端末に記憶されており、カラオケリモコン装置１２に付帯した読取装置を用いて取得することができる。また、携帯情報端末を用いて楽曲予約を行うことができる構成とした場合には、携帯情報端末に記憶された個人識別情報を楽曲予約データとともにカラオケ演奏装置１１に送信することにより、利用者ＩＤを取得することができる。さらに、システムログインした利用者に対して、仮の利用者ＩＤを付与してもよい。
【００３２】
＜歌唱開始ポイント検出手段／歌唱終了ポイント検出手段＞
歌唱開始ポイント検出手段２７は、歌唱採点を行うカラオケ楽曲の採点リファレンスデータにおける最初の歌唱採点タイミングを歌唱開始ポイントとして検出するためのプログラムからなる。また、歌唱終了ポイント検出手段２８は、採点リファレンスデータにおける最後の歌唱採点タイミングを歌唱終了ポイントとして検出するためのプログラムからなる。
【００３３】
すなわち、歌唱開始ポイント検出手段２７及び歌唱終了ポイント検出手段２８の機能により、歌唱採点を行う際に、演奏するカラオケ楽曲の採点リファレンスデータを参照し、最初の歌唱採点タイミングを歌唱開始ポイントとするとともに、最後の歌唱採点タイミングを歌唱終了ポイントとする。
【００３４】
本実施形態では、歌唱開始ポイント及び歌唱終了ポイントを検出するために採点リファレンスデータを用いているが、これに加えて、あるいはこれに代えて、歌詞テロップの色替え表示開始ポイント及び歌詞テロップの色替え表示終了ポイントを、歌唱開始ポイント及び歌唱終了ポイントの検出に用いてもよい。
【００３５】
＜楽曲歌唱時間算出手段＞
楽曲歌唱時間算出手段２９は、歌唱開始ポイント検出手段２７と歌唱終了ポイント検出手段２８の機能により検出した歌唱開始ポイント及び歌唱終了ポイントに基づき、歌唱採点を行うカラオケ楽曲の歌唱時間を算出するためのプログラムからなる。すなわち、楽曲歌唱時間算出手段２９は、歌唱終了ポイントの時間データから歌唱開始ポイントの時間データを減算することにより、歌唱開始ポイントと歌唱終了ポイントの間の歌唱時間を算出する。
【００３６】
なお、本実施形態では、歌唱開始ポイントと歌唱終了ポイントの間の歌唱時間を均等分割するため、楽曲歌唱時間算出手段２９の機能により算出する歌唱時間には、間奏区間の時間も含まれている。このように、歌唱時間に間奏区間を含ませることにより、カラオケ演奏装置に付帯する表示装置等の表示画面に区間集計結果を表示する際の表示処理を簡便なものとすることができる。
【００３７】
＜均等分割手段＞
均等分割手段３０は、算出された歌唱時間を均等に分割して、所定数の集計区間を生成するためのプログラムからなる。均等分割する集計区間の数は、適宜設定することができるが、カラオケ演奏装置に付帯する表示装置等の表示画面に区間集計結果を表示する際の表示スペースを考慮して、２４分割、１２分割等とすることが好ましい。具体的には、図２に示すように、歌唱時間を２４分割して２４の集計区間とし、さらに４つの集計区間をまとめて６つのパートとしている。図３に示す例では、歌唱時間を１２分割して１２の集計区間とし、さらに４つの集計区間をまとめて３つのパートとしている。なお、集計区間毎に区間集計結果を表示するが、間奏区間のように区間集計結果を算出することができない集計区間では、区間集計結果の表示は行わない。
【００３８】
＜採点手段＞
採点手段３５は、例えば１５ｍｓｅｃといった微小な時間を単位とした歌唱採点機能を有する。歌唱採点機能は、一般的に知られている技術を用いることができ、例えば、マイクロホン１３から入力された歌唱音声信号から、音高データ、音量データ、リズムデータ等の歌唱音声データを抽出し、現在演奏しているカラオケ楽曲の主旋律等からなる採点リファレンスと、抽出した歌唱音声データとを比較することにより、歌唱採点値を算出する。
【００３９】
＜区間集計手段＞
区間集計手段３１は、均等分割された集計区間毎に、歌唱採点手段３５が微小区間毎に算出した歌唱採点値を集計するためのプログラムからなる。
【００４０】
＜区間集計結果表示制御手段＞
区間集計結果表示制御手段３２は、区間集計手段３１における集計結果を、集計区間毎に表示するためのプログラムからなる。すなわち、本実施形態では、区間集計手段３１における集計結果は、集計区間毎の得点として表示される。具体的には、例えば、図４に示すように、歌唱時間を均等分割して複数の集計区間を表示するとともに、集計区間毎に集計結果を表示する。また、隣り合う集計区間の集計結果を直線で結んで、折れ線グラフとして表示することにより、集計結果の推移を容易に把握することができる。
【００４１】
また、全歌唱区間の歌唱採点が終了した後、歌唱の安定性、表現力、リズムの正確さ、ロングトーン、ビブラート等について、歌唱評価を表示することにより、歌唱採点の総合評価を示すことができる。なお、図４に示す例は、算出した歌唱時間を２４等分し、４つの集計区間を一つの纏まりとして６つのパートを表示しているが、集計区間の分割数、集計区間を纏めたパート数等は、適宜変更して実施することができる。
【００４２】
＜音楽再生制御手段＞
音楽再生制御手段３３は、楽曲ＩＤに基づいて演奏データから抽出された演奏制御データに基づいて、音源データをデジタル再生するとともにアナログ変換してミキシングアンプ１６に出力するための電子回路である。また、ミキシングアンプ１６は、マイクロホン１３から入力された歌唱者の歌唱音声信号と、音楽再生制御手段３３から送出される演奏音声信号とをミキシングすると共に、アンプ機能により増幅してスピーカ１４より出力するための装置である。
【００４３】
＜映像再生制御手段＞
映像再生制御手段３４は、カラオケ楽曲の演奏中に、映像データベース２４ｂから抽出した背景映像データと、演奏データに含まれる歌詞描出データに基づいて作成される歌詞文字とを、当該カラオケ楽曲の演奏データに同期させて表示装置１５に出力するための電子回路である。
【００４４】
＜他の実施形態＞
本発明のシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００４５】
１００  カラオケ採点システム
１０  カラオケ演奏装置
１１  カラオケ本体
１２  カラオケリモコン装置
１２ａ  楽曲検索手段
１２ｂ  楽曲索引データベース
１２ｃ  データ記憶部
１２ｄ  入出力表示部
１３  マイクロホン
１４  スピーカ
１５  表示装置
１６  ミキシングアンプ
２１  中央制御手段
２２  ＲＯＭ
２３  ＲＡＭ
２３ａ  予約楽曲管理テーブル
２４  ＨＤＤ
２４ａ  楽曲データベース
２４ｂ  映像データベース
２５  送受信手段
２６  予約楽曲管理手段
２７  歌唱開始ポイント検出手段
２８  歌唱終了ポイント検出手段
２９  楽曲歌唱時間算出手段
３０  均等分割手段
３１  区間集計手段
３２  区間集計結果表示制御手段
３３  音楽再生制御手段
３４  映像再生制御手段
３５  採点手段
３６  Ａ／Ｄコンバータ
４０  ルータ
５０  データ通信回線
【図１】
2016050974.tif 000003
【図２】
2016050974.tif 000004
【図３】
2016050974.tif 000005
【図４】
2016050974.tif 000006